(57)【要約】【課題】本発明は、浴室内に電源供給する浴室用ジャック及びそれに使用するプラグに関し、浴室等の湿度の高い場所でも安全に電源供給のできる浴室用ジャック及びそれに使用するプラグを提供することを目的とする。【解決手段】本発明における浴室用ジャック１は、浴室外で発生させた直流電圧を浴室内に供給する電極２０と、電極２０を防水するための蓋部１２と、直流電圧を電気機器に供給するプラグ２１を保持する切欠き部１５とを備えている。本発明によるプラグ２１は、浴室用ジャック１に接続する端子部２２と、端子部２２を防水する防水部３０と、端子部２２及び防水部３０を保持する保持部２５とを備えている。【選択図】    図５
2004214125.tif 000002
【特許請求の範囲】
【請求項１】
浴室外で発生させた直流電圧を浴室内に供給する電極と、
前記電極を防水するための蓋部と、
前記直流電圧を電気機器に供給するプラグを保持する切欠き部とを備えていることを特徴とする浴室用ジャック。
【請求項２】
浴室用ジャックに接続する端子部と、
前記端子部を防水する防水部と、
前記端子部及び防水部を保持する保持部とを備えていることを特徴とするプラグ。
【請求項３】
請求項１記載の浴室用ジャックにおいて、
浴室内に設置されている浴室リモコン装置に備えられていることを特徴とする浴室用ジャック。
【請求項４】
請求項１記載の浴室用ジャックにおいて、
浴室内に設置されている浴室暖房乾燥機に備えられていることを特徴とする浴室用ジャック。
【請求項５】
請求項１記載の浴室用ジャックにおいて、
浴室の壁に備えられていることを特徴とする浴室用ジャック。
【発明の詳細な説明】
【０００１】
【発明の属する技術分野】
本発明は、浴室内に電源供給する浴室用ジャック及びそれに使用するプラグに関する。
【０００２】
【従来の技術】
浴室暖房や衣類乾燥等のために浴室の天井等に埋め込まれたビルトインタイプの浴室暖房乾燥機（不図示）は、天井裏に備えられている１００Ｖの交流電圧を供給している電源線と接続されている。温風吹出し口は浴室内に露出しているが浴室暖房乾燥機の設置箇所には防水コーキングが施されている。これにより浴室内の水蒸気等は天井裏へ入り込めず浴室暖房乾燥機が水蒸気等で故障することはない。
【０００３】
水の温度調節等の機能を有しているビルトインタイプの浴室リモコン装置（不図示）も設置箇所に防水コーキングが施されている。屋外に設置した熱源機に備えられている電源装置に接続された２芯ケーブル線は浴室リモコン装置の背面に備えられている防水コーキングを施したスイッチボックス内で浴室リモコン装置と接続されている。従って水蒸気等で浴室リモコン装置が故障することはない。
浴室リモコン装置は直流電圧で駆動される。直流電圧は交流−直流変換（ＡＣ−ＤＣ変換）することで生成される。ＡＣ−ＤＣ変換を行うＡＣ−ＤＣ変換器（不図示）は電源装置の構成部品の１つであり、ＡＣ−ＤＣ変換器により１００Ｖの交流電圧は７〜９Ｖの直流電圧に変換される。
【０００４】
【特許文献１】
特開平１０−２８４８５５号公報
【特許文献２】
特開２００１−１０４６９５号公報
【特許文献３】
特開２０００−７４４６４号公報
【０００５】
【発明が解決しようとする課題】
浴室暖房乾燥機や浴室リモコン装置は浴室の利便性を向上する。近年、浴室をさらに有効活用するために浴室内で使用可能な家庭電化製品が実用化されてきている。実用化されている家庭電化製品の中で、例えば水を霧状に放出するミスト発生装置は充電池を電源として駆動される。ミスト発生装置に備えられた充電池は浴室外で専用充電器によって充電される。しかし充電池に充電される電気量には限りがあるためミスト発生装置の使用時間は制限される。また使用時間を長くするために充電池を大きくし充電できる電気量を増やすとミスト発生装置は重くなり浴室の内外への持ち運びが困難となる。
【０００６】
また、屋外に設置した熱源機に備えられている電源装置から電源供給を行うために家庭電化製品をビルトインタイプとするためには、浴室リモコン装置等と同様に設置用の穴を壁面に設け電源装置と接続する等の作業が必要となり設置作業は困難である。
本発明の目的は、浴室等の湿度の高い場所でも安全に電源供給のできる浴室用ジャック及びそれに使用するプラグを提供することにある。
【０００７】
【課題を解決するための手段】
上記目的は、浴室外で発生させた直流電圧を浴室内に供給する電極と、前記電極を防水するための蓋部と、前記直流電圧を電気機器に供給するプラグを保持する切欠き部とを備えていることを特徴とする浴室用ジャックによって達成される。
【０００８】
また、上記目的は、浴室用ジャックに接続する端子部と、前記端子部を防水する防水部と、前記端子部及び防水部を保持する保持部とを備えていることを特徴とするプラグによって達成される。
【０００９】
上記本発明の浴室用ジャックは、浴室内に設置されている浴室リモコン装置に備えられていることを特徴とする。
【００１０】
上記本発明の浴室用ジャックは、浴室内に設置されている浴室暖房乾燥機に備えられていることを特徴とする。
【００１１】
上記本発明の浴室用ジャックは、浴室の壁に備えられていることを特徴とする。
【００１２】
【発明の実施の形態】
本発明の一実施の形態による浴室用ジャック及びそれに使用するプラグについて図１乃至図５を用いて説明する。図１は、本実施の形態による浴室用ジャック１を備えたビルトインタイプの浴室リモコン装置２が浴室３の壁５に設置されている状態を示す断面図である。浴室リモコン装置２は屋外に設置した熱源機４に備えられているＡＣ−ＤＣ変換器６と電源線７で接続されている。ＡＣ−ＤＣ変換器６は不図示の電源線で供給された例えば１００Ｖの交流電圧を例えば９Ｖの直流電圧に変換する。９Ｖの直流電圧は電源線７を介して浴室リモコン装置２に供給され、浴室リモコン装置２の駆動用電源電圧として利用される。さらに９Ｖの直流電圧は浴室用ジャック１を介して浴室３内に取り出すことができるようになっている。
【００１３】
図２は、本実施の形態による浴室用ジャック１を備えた浴室リモコン装置２の概略構成を示している。浴室リモコン装置２は浴室用ジャック１と、防水用のカバーケース８と、浴槽の水温等を表示する表示部９と、主電源ボタン１０と、水温制御用等の複数の制御ボタン１１とを備えている。
【００１４】
図３は、本実施の形態による浴室用ジャック１を説明するために図２のＡ−Ａ’線で切断した断面を示している。浴室用ジャック１は、浴室リモコン装置２のカバーケース８表面に設けられた防水用の電気的に絶縁性の蓋部１２を有している。図２に示すように蓋部１２のほぼ中央には正方形の板状の挿入口部１３が設けられている。挿入口部１３の一端辺は開閉軸部１４で蓋部１２に対して回転可能に取り付けられている。開閉軸部１４はばね機構を備えている。開閉軸部１４のばね機構のばね力を超える押圧力が挿入口部１３の板面に作用すると、挿入口部１３は開閉軸部１４を回転軸として蓋部１２内の空洞部１６側に倒れるようになっている。蓋部１２は後述するプラグ２１を保持する切欠き部１５を有している。空洞部１６は挿入口部１３を格納可能な直方体形状の直方体状空洞部１７と、その先に、プラグ２１を挿入可能な円筒形状の円筒状空洞部１８とを有している。円筒状空洞部１８の内壁は、プラグ２１を支持する突起部１９と、プラグ２１に９Ｖの直流電圧を供給する電極２０とを備えている。電極２０は電源線７に接続されている。
【００１５】
次に浴室用ジャック１の動作について説明する。挿入口部１３に外力が加わっていない未使用時においては挿入口部１３は開閉軸部１４のばね機構のばね力で蓋部１２と同一平面上に保持されている。これにより空洞部１６内は防水される。挿入口部１３は所定の外力が加わると開閉軸部１４を回転軸として空洞部１６側へ押し込まれ蓋部１２は開口する。
【００１６】
図４は浴室用ジャック１に挿入されるプラグ２１の概略構成を示している。図４（ａ）は、プラグ２１の先端部の斜視図である。図４（ｂ）は、図４（ａ）のＢ−Ｂ’線で切断した断面を示している。プラグ２１は浴室用ジャック１の円筒状空洞部１８の内壁に接触する棒状の端子部２２と、端子部２２を防水する防水部３０と、端子部２２と防水部３０とを保持する保持部２５とを備えている。防水部３０は電気的に絶縁性の例えば円形の平板部２３を備えている。さらに防水部３０は例えば合成ゴム材のような伸縮可能な弾性部材で形成された平板部２３の直径とほぼ同等の直径を有している筒状の円筒部２４を有している。図４に示すように平板部２３のほぼ中央には正方形の板状の開閉扉部２６が設けられている。開閉扉部２６の一端辺は閉軸部２７で平板部２３に対して回転可能に取り付けられている。開閉軸部２７はばね機構を備えている。開閉軸部２７のばね機構のばね力を超える押圧力が開閉扉部２６の板面に作用すると、開閉扉部２６は開閉軸２７を回転軸として防水部３０の外側に倒れるようになっている。平板部２３は浴室用ジャック１の切欠き部１５に挿入される突起部２８を有している。端子部２２は浴室用ジャック１の電極２０と接触する電極２９を備えている。電極２９は保持部２５の内部に具備されている不図示の電源線と接続されている。
【００１７】
次に、プラグ２１の動作について説明する。開閉扉部２６に外力が加わっていない未使用時においては開閉扉部２６は開閉軸部２７のばね機構のばね力で平板部２３と同一平面上に保持されている。円筒部２４は伸長しており、端子部２２は平板部２３及び円筒部２４で防水される。平板部２３を固定し保持部２５を平板部２３側へ押し込むと円筒部２４は押し潰され端子部２２は開閉扉部２６を押し開き防水部３０の外部に露出する。
【００１８】
次に、浴室用ジャック１及びプラグ２１の連結動作について説明する。図５は、図３と同様の断面を示しており、浴室用ジャック１にプラグ２１を挿入した状態を示している。開閉扉部２６が閉じた状態のプラグ２１は挿入口部１３が閉じた状態の浴室用ジャック１に対向配置され、突起部２８は切欠き部１５に挿入される。プラグ２１を浴室用ジャック１へ押し込むと端子部２２は開閉扉部２６に押圧力を加え開閉扉部２６は回転軸部２７を回転軸として防水部３０の外側へ倒れ平板部２３は開口する。挿入口部１３は外側へ倒れた開閉扉部２６で押圧力を受ける。挿入口部１３は開閉軸部１４を回転軸として蓋部１２内の空洞部１６側に倒れ蓋部１２は開口する。平板部２３と蓋部１２に生じた穴を通り端子部２２は空洞部１６へ挿入される。さらにプラグ２１を押し込むと端子部２２は円筒状空洞部１８に備えられている突起部１９で固定される。端子部２２の電極２９は円筒状空洞部１８の内壁に備えられている電極２０と接触する。ＡＣ−ＤＣ変換器６から供給される９Ｖの直流電圧は電極２０、２９を介してプラグ２１へ印加され、家庭電化製品等の駆動用電源電圧として利用される。
【００１９】
浴室用ジャック１の未使用時は挿入口部１３が閉じているため電極２０は防水され水滴等で故障することはない。またプラグ２１の未使用時は防水部３０と保持部２５とで端子部２２は防水されているため浴室に放置されても故障することはない。さらに浴室用ジャック１とプラグ２１の使用時において端子部２２や電極２０は外気に触れることなくプラグ２１を浴室用ジャック１に挿入することができる。従って端子部２２や電極２０に水滴等が付着しないので浴室用ジャック１及びプラグ２１は故障することはない。また浴室用ジャック１及びプラグ２１は水滴等で漏電することはない。さらに浴室用ジャック１の出力電圧は２４Ｖ以下の直流電圧に制御することで感電することはない。
【００２０】
以上説明した通り本実施の形態によれば浴室用ジャック１及びプラグ２１の使用／未使用にかかわらず電極２０及び端子部２２は防水されているため浴室のような湿度の高い場所に適用することができる。また浴室用ジャック１を電源供給端子に使用できるため家庭電化製品等を長時間使用することができる。さらに電源装置を屋外に設置した熱源機等に設置する必要がないため家庭電化製品等の取り付け作業が容易となる。
【００２１】
本発明は、上記実施の形態に限らず種々の変形が可能である。
上記実施の形態では浴室用ジャックを浴室リモコン装置に備えるようにしているが本発明はこれに限られない。例えば浴室暖房乾燥機に設けることもできる。
また浴室の壁等に直接備えるようにしてもよい。さらに浴室用ジャックを浴室内の複数箇所に備えるようにしてももちろんよい。
【００２２】
さらに、上記実施の形態ではＡＣ−ＤＣ変換器で生成した直流電圧は浴室用ジャックの電極と浴室リモコン装置の駆動電源に供給されているが浴室用ジャック専用のＡＣ−ＤＣ変換器を備えるようにしてもよい。さらにＡＣ−ＤＣ変換器で生成した直流電圧を別の直流電圧値に変換する直流−直流変換器（ＤＣ−ＤＣ変換器）を備え、ＤＣ−ＤＣ変換器で生成した直流電圧を浴室用ジャックに供給してもよい。
【００２３】
【発明の効果】
以上の通り、本発明によれば、浴室等の湿度の高い場所でも安全に電源供給のできる浴室用ジャック及びそれに使用するプラグを実現できる。
【図面の簡単な説明】
【図１】本発明の一実施の形態による浴室用ジャック１を備えたビルトインタイプの浴室リモコン装置２が浴室３の壁５に設置されている状態を示す図である。
【図２】本発明の一実施の形態による浴室用ジャック１を備えた浴室リモコン装置２の概略構成を示す図である。
【図３】本実施の一実施の形態による浴室用ジャック１を説明するために図２のＡ−Ａ’線で切断した断面を示す図である。
【図４】本発明の一実施の形態によるプラグ２１の概略構成を説明する図であって、図４（ａ）は、プラグ２１の先端部の斜視図、図４（ｂ）は、図４（ａ）のＢ−Ｂ’線で切断した断面図である。
【図５】図３と同様の断面を示しており、浴室用ジャック１にプラグ２１を挿入した状態を示す図である。
【符号の説明】
１  浴室用ジャック
２  浴室リモコン装置
３  浴室
４  熱源機
５  壁
６  ＡＣ−ＤＣ変換器
７  電源線
８  カバーケース
９  表示部
１０  主電源ボタン
１１  制御ボタン
１２  蓋部
１３  挿入口部
１４、２７  開閉軸部
１５  切欠き部
１６  空洞部
１７  直方体状空洞部
１８  円筒状空洞部
１９、２８  突起部
２０、２９  電極
２１  プラグ
２２  端子部
２３  平板部
２４  円筒部
２５  保持部
２６  開閉扉部
３０  防水部
【図１】
2004214125.tif 000003
【図２】
2004214125.tif 000004
【図３】
2004214125.tif 000005
【図４】
2004214125.tif 000006
【図５】
2004214125.tif 000007